(57)【要約】【課題】通信装置間の協調伝送方法とそれを用いた通信装置を提供する。【解決手段】通信装置を提供する。コントローラーモジュールは、提案されるサブフレームパターンを生成して、ひとつ以上のフレーム中のひとつ以上のほぼ空白のサブフレームの提案される配列を記述すると共に、提案されるサブフレームパターンに従って、制御信号および／またはデータ伝送をスケジューリングする。無線周波数モジュールは、提案されるサブフレームパターンに関連する情報を搭載する少なくともひとつの第一信号を、ピア通信装置に伝送する。ほぼ空白のサブフレーム中で、ピア通信装置はデータ伝送をスケジューリングしない。【選択図】図２ｂ
2013534094.tif 000002
【特許請求の範囲】
【請求項１】
通信装置であって、
提案されるサブフレームパターンを生成して、ひとつ以上のフレーム中のひとつ以上のほぼ空白のサブフレームの提案される配列を記述し、前記提案されるサブフレームパターンに従って、制御信号および／またはデータ伝送をスケジューリングするコントローラーモジュールと、
前記提案されるサブフレームパターンに関連する情報を搭載する少なくともひとつの第一信号を、ピア通信装置に伝送するトランシーバモジュールと、を含み、
前記ほぼ空白のサブフレームで、前記ピア通信装置はデータ伝送をスケジューリングしないことを特徴とする通信装置。
【請求項２】
前記第一信号はＸ２プロトコルに従って伝送されることを特徴とする請求項１に記載の通信装置。
【請求項３】
前記トランシーバモジュールは、さらに、前記ピア通信装置から、所定のサブフレームパターンに関連する情報を搭載する第二信号を受信し、前記ほぼ空白のサブフレームの所定の配列を記述すると共に、前記コントローラーモジュールは、前記所定のサブフレームパターンに基づいて、前記提案されるサブフレームパターンを生成することを特徴とする請求項１に記載の通信装置。
【請求項４】
前記提案されるサブフレームパターンは、前記所定のサブフレームパターンのサブセットであることを特徴とする請求項３に記載の通信装置。
【請求項５】
前記コントローラーモジュールは、さらに、前記ピア通信装置から干渉されるひとつ以上のヴィクティムユーザー装置(ＵＥ)に関連する情報を得ると共に、前記制御信号および／またはデータ伝送をスケジューリングして、前記ほぼ空白のサブフレームで、前記制御信号および／またはデータを、前記ヴィクティムＵＥに伝送することを特徴とする請求項１に記載の通信装置。
【請求項６】
通信装置であって、
所定のサブフレームパターンを生成して、ひとつ以上のフレーム中のひとつ以上のほぼ空白のサブフレームの配列を記述すると共に、所定のサブフレームパターンに従って、制御信号および／またはデータ伝送をスケジューリングし、前記ほぼ空白のサブフレームで、データ伝送をスケジューリングしないコントローラーモジュールと、
前記所定のサブフレームパターンに関連する情報を搭載する少なくともひとつの第一信号を、ピア通信装置に伝送するトランシーバモジュールと、を含むことを特徴とする通信装置。
【請求項７】
前記コントローラーモジュールは、ほぼ空白のサブフレーム中、通常のサブフレームより少ない制御信号伝送をスケジューリングすることを特徴とする請求項６に記載の通信装置。
【請求項８】
前記トランシーバモジュールは、さらに、前記ピア通信装置から、提案されるサブフレームパターンに関連する情報を搭載する第二信号を受信して、前記ほぼ空白のサブフレームの提案される配列を記述すると共に、前記コントローラーモジュールは、前記提案されるサブフレームパターンに基づいて、前記所定のサブフレームパターンを更新して、更新されたサブフレームパターンを得ることを特徴とする請求項６に記載の通信装置。
【請求項９】
前記トランシーバモジュールは、さらに、前記更新されたサブフレームパターンに関連する情報を搭載する少なくともひとつの第三信号を、前記ピア通信装置に伝送すると共に、前記コントローラーモジュールは、前記更新されたサブフレームパターンに従って、前記制御信号および／またはデータ伝送をスケジューリングすることを特徴とする請求項８に記載の通信装置。
【請求項１０】
前記所定のサブフレームパターンは複数のビットを含み、各ビットが用いられて、対応するサブフレームが、ほぼ空白のサブフレームまたは通常のサブフレームかを記述することを特徴とする請求項６に記載の通信装置。
【請求項１１】
通信装置間の協調伝送方法であって、
所定のサブフレームパターンを生成して、ひとつ以上のフレーム中のひとつ以上のほぼ空白のサブフレームの配列を記述する工程と、
少なくともひとつのピア通信装置に、前記所定のサブフレームパターンを通知する工程と、
所定のサブフレームパターンに従って、制御信号および／またはデータ伝送をスケジューリングする工程と、を含むことを特徴とする方法。
【請求項１２】
さらに、
前記ほぼ空白のサブフレームで、通常のサブフレームより少ない制御信号伝送をスケジューリングする工程を含むことを特徴とする請求項１１に記載の方法。
【請求項１３】
さらに、
前記ほぼ空白のサブフレーム中で、データ伝送をスケジューリングしない工程を含むことを特徴とする請求項１１に記載の方法。
【請求項１４】
さらに、
前記ピア通信装置から、提案されるサブフレームパターンに関連する情報を得て、前記ほぼ空白のサブフレームの提案される配列を記述する工程と、
前記提案されるサブフレームパターンに基づいて、前記所定のサブフレームパターンを更新して、更新されたサブフレームパターンを得る工程と、
を含むことを特徴とする請求項１１に記載の方法。
【請求項１５】
さらに、
前記ピア通信装置に、前記更新されたサブフレームパターンを通知する工程と、
前記更新されたサブフレームパターンに従って、制御信号および／またはデータ伝送をスケジューリングする工程と、を含むことを特徴とする請求項１４に記載の方法。
【請求項１６】
通信システム中の通信装置であって、
ＨＡＲＱプロセスで、ハイブリッド自動再送要求(ＨＡＲＱ)往復時間(ＲＴＴ)に関連する情報を得て、ＨＡＲＱ ＲＴＴ情報に従って、ひとつ以上のフレーム中で、ひとつ以上のほぼ空白のサブフレームを手配し、サブフレームパターンを生成して、前記ほぼ空白のサブフレームの前記配置を記述し、前記ＨＡＲＱ ＲＴＴが前記通信システムにより定義されるコントローラーモジュールと、
前記通信システムで、前記サブフレームパターンに関連する情報を搭載する少なくともひとつの信号を、ピア通信装置に伝送するトランシーバモジュールと、を含むことを特徴とする通信装置。
【請求項１７】
前記サブフレームパターン中の少なくともひとつのほぼ空白のサブフレームが、前記ピア通信装置により用いられるサブフレーム中で手配され、アップリンク承諾メッセージを伝送して、ユーザー装置を承諾し、アップリンクデータを前記ピア通信装置に伝送することを特徴とする請求項１６に記載の通信装置。
【請求項１８】
前記サブフレームパターン中の少なくともひとつのほぼ空白のサブフレームが、前記ピア通信装置により用いられるサブフレーム中に手配され、肯定応答(ＡＣＫ)または否定応答(ＮＡＣＫ)メッセージを伝送して、前記ユーザー装置に、前記受信されたアップリンク承諾メッセージに応答して、前記ユーザー装置により伝送される前記アップリンクデータが、前記ピア通信装置により受信されたかを通知することを特徴とする請求項１７に記載の通信装置。
【請求項１９】
前記サブフレームパターン中の前記ほぼ空白のサブフレームは、アップリンク承諾メッセージおよび肯定応答(ＡＣＫ)/否定応答(ＮＡＣＫ)メッセージの伝送期間に従って手配され、前記アップリンク承諾メッセージが伝送されて、ユーザー装置をアップリンクデータに承諾し、および、前記ＡＣＫ／ＮＡＣＫメッセージが伝送されて、前記ユーザー装置に、前記受信されたアップリンク承諾メッセージに応答して伝送される前記アップリンクデータが受信されたかを通知することを特徴とする請求項１６に記載の通信装置。
【請求項２０】
前記サブフレームパターン中の前記ほぼ空白のサブフレームは、一連の連続フレーム内で手配されることを特徴とする請求項１６に記載の通信装置。
【請求項２１】
前記ＨＡＲＱ ＲＴＴが(ｋ１+ｋ２)サブフレームにより定義される時、前記コントローラーモジュールは、第[ｎ+ｍ*(ｋ１+ｋ２)]サブフレーム中に、前記ほぼ空白のサブフレームを手配して、各第ｎサブフレームが、ほぼ空白のサブフレームとして指定され、式中、ｎとｍは非負の整数、ｋ１およびｋ２は正の整数、ｋ１はアップリンク承諾メッセージ伝送およびアップリンクデータ伝送間のサブフレームオフセットを示し、ｋ２は前記アップリンクデータ伝送およびＡＣＫまたはＮＡＣＫメッセージ伝送間のサブフレームオフセットを示すことを特徴とする請求項１６に記載の通信装置。
【請求項２２】
異なるフレームで、前記ほぼ空白のサブフレームのサブフレームインデックス値は一定値で手配されることを特徴とする請求項１６に記載の通信装置。
【請求項２３】
通信システムにおける通信装置間の協調伝送方法であって、
前記通信システムにより定義されるＨＡＲＱプロセスで、ハイブリッド自動再送要求 (ＨＡＲＱ)往復時間(ＲＴＴ)に関連する情報を得る工程と、
ＨＡＲＱ ＲＴＴに従って、ひとつ以上のフレーム中のひとつ以上のほぼ空白のサブフレームを手配する工程と、を含むことを特徴とする方法。
【請求項２４】
少なくともひとつのほぼ空白のサブフレームが、通信装置により用いられるサブフレーム中で手配され、アップリンク承諾メッセージを伝送して、ユーザー装置を承諾し、アップリンクデータを前記通信装置に伝送することを特徴とする請求項２３に記載の方法。
【請求項２５】
少なくともひとつのほぼ空白のサブフレームが、通信装置により用いられるサブフレーム中で手配され、肯定応答(ＡＣＫ)または否定応答(ＮＡＣＫ)メッセージを伝送して、前記ユーザー装置に、前記受信されたアップリンク承諾メッセージに応答して、前記ユーザー装置により伝送される前記アップリンクデータが前記通信装置により受信されたかを通知することを特徴とする請求項２４に記載の方法。
【請求項２６】
異なるフレームで、前記ほぼ空白のサブフレームのサブフレームインデックス値は一定値で手配されることを特徴とする請求項２３に記載の方法。
【請求項２７】
前記ＨＡＲＱ ＲＴＴが(ｋ１+ｋ２)サブフレームにより定義される時、前記ほぼ空白のサブフレームが、第[ｎ+ｍ*(ｋ１+ｋ２)]サブフレーム中で手配されて、各第ｎサブフレームが、ほぼ空白のサブフレームとして指定され、ｎとｍは非負の整数、ｋ１およびｋ２は正の整数、ｋ１は、アップリンク承諾メッセージ伝送およびアップリンクデータ伝送間のサブフレームオフセットを示し、ｋ２は、前記アップリンクデータ伝送およびＡＣＫまたはＮＡＣＫメッセージ伝送間のサブフレームオフセットを示すことを特徴とする請求項２３に記載の方法。
【請求項２８】
前記ほぼ空白のサブフレームは、アップリンク承諾メッセージおよび肯定応答(ＡＣＫ)/否定応答(ＮＡＣＫ)メッセージの伝送期間に従って手配され、前記アップリンク承諾メッセージが伝送されて、ユーザー装置をアップリンクデータに承諾し、前記ＡＣＫ／ＮＡＣＫメッセージが伝送されて、前記ユーザー装置に、前記受信されたアップリンク承諾メッセージに応答して伝送される前記アップリンクデータが受信されたかを通知することを特徴とする請求項２３に記載の方法。
【請求項２９】
前記ほぼ空白のサブフレームは、一連の連続フレーム内で手配されることを特徴とする請求項２３に記載の方法。
【請求項３０】
通信システムにおける通信装置間の協調伝送方法であって、
進化型ノードＢ(ｅＮＢ)から受信される第一サブフレームの制御領域中で伝送される第一制御信号で搭載されるサブフレームインジケータを得て、前記サブフレームインジケータは、前記第一サブフレームの後のひとつ以上のサブフレームのリソース割り当てを示す工程と、
前記サブフレームインジケータに従って、前記第一サブフレームの後、前記ｅＮＢから受信される第二サブフレームが、ほぼ空白のサブフレームかを決定する工程と、
前記第二サブフレームが前記ほぼ空白のサブフレームでない時、第二サブフレームの制御領域中で伝送される第二制御信号から、前記第二サブフレームのデータ領域の開始位置に関連する情報を得る工程と、を含むことを特徴とする方法。
【請求項３１】
さらに、
前記第二サブフレームが前記ほぼ空白のサブフレームの時、前記第二サブフレームの制御領域中で伝送されない所定の情報に従って、前記第二サブフレームの前記データ領域の前記開始位置に関連する情報を得る工程と、を含むことを特徴とする請求項３０に記載の方法。
【請求項３２】
前記所定の情報は、前記通信システムにより定義される最大制御領域サイズであることを特徴とする請求項３１に記載の方法。
【請求項３３】
前記所定の情報は、無線リソース制御(ＲＲＣ)シグナリングにより得られることを特徴とする請求項３１に記載の方法。
【請求項３４】
通信システムにおける通信装置間の協調伝送の方法であって、
第一サブフレームの制御領域で伝送される第一制御信号中で、サブフレームインジケータを搭載して、ユーザー装置に、前記第一サブフレームの後の第二サブフレームが、ほぼ空白のサブフレームであることを示す工程を含むことを特徴とする方法。
【請求項３５】
前記第二サブフレームが前記ほぼ空白のサブフレームでない時、本方法は、さらに、
前記第二サブフレーム内の制御領域で伝送される第二制御信号中で、前記第二サブフレームのデータ領域の開始位置に関連する情報を搭載する工程を含むことを特徴とする請求項３４に記載の方法。
【請求項３６】
前記第二サブフレームが前記ほぼ空白のサブフレームである時、本方法は、さらに、
前記通信システムにより、最大制御領域サイズに従って、前記第二サブフレームのデータ領域の開始位置を設定する工程と、
前記第二サブフレームの前記開始位置から、前記データ領域中でデータを搭載する工程と、を含むことを特徴とする請求項３４に記載の方法。
【請求項３７】
前記第二サブフレームが前記ほぼ空白のサブフレームの時、前記方法は、さらに、
無線リソース制御(ＲＲＣ)シグナリングにより、前記ユーザー装置に、前記第二サブフレームのデータ領域の開始位置に関連する情報を通知する工程と、
前記第二サブフレームの前記開始位置から、前記データ領域中でデータを搭載する工程と、を含むことを特徴とする請求項３４に記載の方法。
【請求項３８】
ほぼ空白のサブフレーム(ＡＢＳ)パターンを指定する通信システムの方法であって、
ひとつ以上の隣接進化型ノードＢの情報を収集する工程と、
前記収集された隣接ｅＮＢの情報に基づいて、前記通信システムにより干渉されるひとつ以上のユーザー装置に供する少なくともひとつのヴィクティムｅＮＢを識別する工程と、
前記ＡＢＳパターンを前記ヴィクティムｅＮＢに指定して、前記ヴィクティムｅＮＢのセル中の干渉を減少させる工程と、を含むことを特徴とする方法。
【請求項３９】
前記ＡＢＳパターンは、前記通信システムの所定の配置に従って指定されることを特徴とする請求項３８に記載の方法。
【請求項４０】
前記ＡＢＳパターンは、前記ヴィクティムｅＮＢの所定の配置に従って指定されることを特徴とする請求項３８に記載の方法。
【請求項４１】
前記ＡＢＳパターンは、８個のサブフレーム周期で指定されることを特徴とする請求項３８に記載の方法。
【請求項４２】
前記ＡＢＳパターンは、１０個のサブフレーム周期で指定されることを特徴とする請求項３８に記載の方法。
【請求項４３】
前記ＡＢＳパターンは、６０個のサブフレーム周期で指定されることを特徴とする請求項３８に記載の方法。
【請求項４４】
前記ＡＢＳパターンは、７０個のサブフレーム周期で指定されることを特徴とする請求項３８に記載の方法。
【請求項４５】
さらに、
前記収集された隣接ｅＮＢの情報を更新する工程と、
前記更新された情報に従って、前記指定されたＡＢＳパターンを調整する工程と、を含むことを特徴とする請求項３８に記載の方法。
【請求項４６】
前記指定されたＡＢＳパターンの前記調整は周期的であることを特徴とする請求項４５に記載の方法。
【請求項４７】
前記指定されたＡＢＳパターンの前記調整は非周期的であることを特徴とする請求項４５に記載の方法。
【発明の詳細な説明】
【技術分野】
【０００１】
本発明は、無線ネットワーク通信に関するものであって、特に、異なるセル間のアップリンク／ダウンリンク伝送協調により無線通信システム内のセル間干渉を回避する無線ネットワーク通信に関するものである。
【背景技術】
【０００２】
近年、移動通信技術が急速に発展し、ユーザーがどこにいても、各種通信サービス、たとえば、音声電話サービス、データ伝送サービスおよびビデオ通話サービス等を提供することができる。大部分の移動通信システムは多重アクセスシステムで、アクセスおよび無線ネットワークリソースは、複数のユーザーに割り当てられる。移動通信システムにより採用される多重アクセス技術は、１×符号分割多重アクセス２０００(１×ＣＤＭＡ２０００)技術、１×高速データ通信の最適化(１×ＥＶＤＯ)技術、直交周波数分割多重(ＯＦＤＭ)技術およびロングタームエボリューション(ＬＴＥ)技術を含む。ＬＴＥアドバンストは、ＬＴＥから発展したＬＴＥスタンダードの強化技術である。ＬＴＥアドバンストはＬＴＥ装置と互換性がなければならず、また、ＬＴＥ通信システムと周波数バンドをシェアしなければならない。ＬＴＥアドバンストの最大の長所は、アドバンストトポロジーネットワークの長所を利用する能力があり、最適化された異機種ネットワークは、低電力ノード、たとえば、ピコセル、フェムトセルおよび新しい中継ノードの混合マクロを含む。
【０００３】
図１は、異機種ネットワーク(ＨｅｔＮｅｔ)を示す図である。マクロ進化型ノードＢ(ｅＮＢ)１０１のサービスエリア１００内で、小サービスエリアを有する幾つかの低電力ノードが配置されて、システム容量全体を改善している。図に示されるように、ピコｅＮＢ(ピコセルとも称される)１０２、フェムトｅＮＢ(フェムトセルとも称される)１０３および中継ｅＮＢ１０４が、マクロｅＮＢ１０１のサービスエリア１００と共に設置される。しかし、このようなＨｅｔＮｅｔは、不必要なセル間干渉を生じる。たとえば、ユーザー装置(ＵＥ)２０２がピコｅＮＢ１０２上に位置して、サービングセルとすると仮定する。ＵＥ２０２がピコｅＮＢ１０２のセル端に移動する時、信号がＵＥ２０２に達する時に、ピコｅＮＢ１０２により伝送される信号の電力が弱くなるので、ＵＥ２０２に隣接するマクロｅＮＢ１０１により伝送される信号は、ＵＥ２０２に強い干渉を生じる。別の例では、フェムトｅＮＢ１０３の限定加入者グループ(ＣＳＧ)に属さないＵＥ２０１が、サービスエリアに移動する時、フェムトｅＮＢ１０３により伝送される信号は、ＵＥ２０１に強い干渉を生じる。さらに別の例では、中継ｅＮＢ１０４が、信号またはデータをＵＥ２０３に同時に伝送する時、マクロｅＮＢ１０１により伝送される信号もＵＥ２０３に干渉する。
【発明の概要】
【発明が解決しようとする課題】
【０００４】
上述の問題を解決するため、本発明は、無線直交周波数分割多元接続(ＯＦＤＭＡ)通信システムにおけるセル間干渉を回避する異なるセル間のアップリンク／ダウンリンク伝送協調方法と装置を提供することを目的とする。
【課題を解決するための手段】
【０００５】
通信装置の好ましい態様は、コントローラーモジュールおよび無線周波数(ＲＦ)モジュールを含む。コントローラーモジュールは、提案されるサブフレームパターンを生成して、ひとつ以上のフレーム中のひとつ以上のほぼ空白のサブフレームの提案される配列を記述すると共に、提案されるサブフレームパターンに従って、制御信号および／またはデータ伝送をスケジューリングする。無線周波数モジュールは、提案されるサブフレームパターンに関連する情報を搭載する少なくともひとつの第一信号を、ピア通信装置に伝送する。ほぼ空白のサブフレーム中で、ピア通信装置はデータ伝送をスケジューリングしない。
【０００６】
通信装置の別の好ましい態様は、コントローラーモジュールおよび無線周波数(ＲＦ)モジュールを含む。コントローラーモジュールは所定のサブフレームパターンを生成して、ひとつ以上のフレーム中のひとつ以上のほぼ空白のサブフレームの配列を記述すると共に、所定のサブフレームパターンに従って、制御信号および／またはデータ伝送をスケジューリングする。ほぼ空白のサブフレーム中、コントローラーモジュールはデータ伝送をスケジューリングしない。ＲＦモジュールは、所定のサブフレームパターンの関連する情報を搭載する少なくともひとつの第一信号を、ピア通信装置に伝送する。
【０００７】
好ましい態様による通信装置間の協調伝送方法は、所定のサブフレームパターンを生成して、ひとつ以上のフレーム中のひとつ以上のほぼ空白のサブフレームの配列を記述する工程と、少なくともひとつのピア通信装置に、所定のサブフレームパターンを通知する工程と、所定のサブフレームパターンに従って、制御信号および／またはデータ伝送をスケジューリングする工程と、を含む。
【０００８】
通信装置の別の態様は、コントローラーモジュールおよび無線周波数(ＲＦ)モジュールを含む。コントローラーモジュールは、ＨＡＲＱプロセス中、ハイブリッド自動再送要求(ＨＡＲＱ)往復時間(ＲＴＴ)に関連する情報を得て、ＨＡＲＱ ＲＴＴ情報に従って、ひとつ以上のフレーム中のひとつ以上のほぼ空白のサブフレームを配置し、サブフレームパターンを生成して、ほぼ空白のサブフレームの配列を記述する。ＨＡＲＱ ＲＴＴは通信システムにより定義される。ＲＦモジュールは、サブフレームパターンに関する情報を搭載する少なくともひとつの信号を、通信システム中のピア通信装置に伝送する。
【０００９】
別の態様による通信装置間の協調伝送方法は、通信システムにより定義されるＨＡＲＱプロセス中、ハイブリッド自動再送要求 (ＨＡＲＱ)往復時間(ＲＴＴ)に関連する情報を得る工程と、ＨＡＲＱ ＲＴＴに従って、ひとつ以上のフレーム中のひとつ以上のほぼ空白のサブフレームを配置する工程と、を含む。
【００１０】
別の態様による通信装置間の協調伝送方法は:進化型ノードＢ (ｅＮＢ)から受信される第一サブフレームの制御領域中で伝送される第一制御信号中に搭載されるサブフレームインジケータを得て、サブフレームインジケータは、第一サブフレームの後のひとつ以上のサブフレームのリソース割り当てを指示する工程と、サブフレームインジケータに従って、第一サブフレームの後のｅＮＢから受信される第二サブフレームが、ほぼ空白のサブフレームかを決定する工程と;第二サブフレームがほぼ空白のサブフレームでない時、第二サブフレームの制御領域中で伝送される第二制御信号から、第二サブフレームのデータ領域の開始位置に関連する情報を得る工程と、を含む。
【００１１】
別の態様による通信装置間の協調伝送方法は、第一サブフレームの制御領域中で伝送される第一制御信号中に、サブフレームインジケータを搭載して、ユーザー装置に、第一サブフレームの後の第二サブフレームが、ほぼ空白のサブフレームかを指示する工程と、を含む。
【００１２】
別の態様によるほぼ空白のサブフレーム(ＡＢＳ)パターンを指定する通信システムの方法は、ひとつ以上の隣接ｅＮＢの情報を収集する工程と、収集された隣接ｅＮＢの情報に基づいて、通信システムにより干渉されるひとつ以上のＵＥに供する少なくともひとつのヴィクティムｅＮＢを識別する工程と、ＡＢＳパターンをヴィクティムｅＮＢに指定して、ヴィクティムｅＮＢのセル中の干渉を減少させる工程と、を含む。
【発明の効果】
【００１３】
本発明により、無線通信システム内のセル間干渉を回避することができる。
【図面の簡単な説明】
【００１４】
【図１】異機種ネットワーク(ＨｅｔＮｅｔ)を示す図である。
【図２ａ】本発明の好ましい態様による通信装置を示す図である。
【図２ｂ】本発明の好ましい態様による通信装置を示す図である。
【図３】本発明の好ましい態様によるダウンリンク無線リソース割り当てを示す図である。
【図４】本発明の概念によるセル干渉を回避するアグレッサーｅＮＢおよびヴィクティムｅＮＢ間のダウンリンクサブフレーム配置を示す図である。
【図５】本発明の第一態様による通信装置間の協調伝送の方法を示すフローチャートである。
【図６】本発明の好ましい態様によるＨＡＲＱプロセスを示すメッセージフローである。
【図７】本発明の好ましい態様によるアグレッサーｅＮＢによりスケジューリングされる幾つかのＡＢＳおよびヴィクティムｅＮＢによりスケジューリングされる対応するＨＡＲＱメッセージの配置を示す図である。
【図８】本発明の好ましい態様による通信システム内のＴＤＤアップリンク／ダウンリンク(ＵＬ／ＤＬ)配置を示す表である。
【図９ａ】本発明の好ましい態様によるＴＤＤ ＵＬ／ＤＬ配置１−６中のＨＡＲＱパラメータｋ１の値を示す図である。
【図９ｂ】本発明の好ましい態様によるＴＤＤ ＵＬ／ＤＬ配置１−６中のＨＡＲＱパラメータｋ２の値を示す図である。
【図１０】本発明の別の好ましい態様によるアグレッサーｅＮＢによりスケジューリングされる幾つかのＡＢＳおよびヴィクティムｅＮＢによりスケジューリングされる対応するＨＡＲＱメッセージの配置を示す図である。
【図１１】本発明のさらに別の好ましい態様によるアグレッサーｅＮＢによりスケジューリングされる幾つかのＡＢＳの配置を示す図である。
【図１２ａ】本発明の好ましい態様によるＴＤＤ ＵＬ／ＤＬ配置０中のＨＡＲＱパラメータｋ１の値の第一配置を示す図である。
【図１２ｂ】本発明の別の好ましい態様によるＴＤＤ ＵＬ／ＤＬ配置０中のＨＡＲＱパラメータｋ１の値の第二配置を示す図である。
【図１３ａ】本発明の好ましい態様によるＴＤＤ ＵＬ／ＤＬ配置０中のＨＡＲＱパラメータｋ２の値の第一配置を示す図である。
【図１３ｂ】本発明の別の好ましい態様によるＴＤＤ ＵＬ／ＤＬ配置０中のＨＡＲＱパラメータｋ２の値の第二配置を示す図である。
【図１４】本発明の第二態様による通信装置間の協調伝送の方法を示すフローチャートである。
【図１５】本発明の第三態様によるＡＢＳの交差サブフレーム配置の概念を記述するダウンリンクサブフレーム配置を示す図である。
【図１６】本発明の第三態様の第一例によるＡＢＳの交差サブフレームスケジューリングの方法を示すフローチャートである。
【図１７】本発明の第三態様の第二例によるＡＢＳの交差サブフレームスケジューリングの方法を示すフローチャートである。
【図１８】本発明の第三態様の第三例によるＡＢＳの交差サブフレームスケジューリングの方法を示すフローチャートである。
【図１９】本発明の好ましい態様によるＡＢＳパターンを指定する通信システムの方法を示すフローチャートである。
【発明を実施するための形態】
【００１５】
図２ａは、本発明の好ましい態様による通信装置を示す図である。通信装置２００は、図１に示されるサービスネットワーク中のユーザー装置(ＵＥ)である。サービスネットワークの操作は、通信プロトコルに従う。一態様において、サービスネットワークは、ロングタームエボリューション(ＬＴＥ)システムまたはＬＴＥアドバンストシステムである。通信装置２００は、少なくともひとつのベースバンドモジュール２１０、無線周波数(ＲＦ)モジュール２２０およびコントローラーモジュール２３０を含む。ベースバンドモジュール２１０は、複数のハードウェア装置を含み、アナログデジタル変換(ＡＤＣ)／デジタルアナログ変換(ＤＡＣ)、ゲイン調整、変調／復調、暗号／復号を含むベースバンド信号処理を実行する。ＲＦモジュール２２０はＲＦ無線信号を受信し、受信したＲＦ無線信号をベースバンドモジュール２１０により処理されるベースバンド信号に変換し、またはベースバンドモジュール２１０からベースバンド信号を受信し、受信したベースバンド信号を後に伝送されるＲＦ無線信号に変換する。また、ＲＦモジュール２２０は、複数のハードウェア装置を含んで、無線周波数変換を実行する。たとえば、ＲＦモジュール２２０はミキサーを含み、無線通信システムの無線周波数で発振するキャリアによりベースバンド信号を多重化し、無線周波数は、ＵＭＴＳシステムに用いられる900MHz、1900MHzまたは2100MHz、あるいは、ＬＴＥシステムに用いられる900MHz、2100MHzまたは2.6GHz、あるいは、無線アクセス技術(ＲＡＴ)に基づく。コントローラーモジュール２３０は、ベースバンドモジュール２１０、ＲＦモジュール２２０およびその他の機能要素、たとえば、ＭＭＩ (man-machine interface)となるディスプレイユニットおよび／またはキーパッド、アプリケーションや通信プロトコル等のデータやプログラムコードを保存するストレージユニットの操作を制御する。ＵＭＴＳシステムおよびＬＴＥシステムに加え、本発明は、あらゆる未来のＲＡＴに応用することが出来ることが理解できる。
【００１６】
図２ｂは、本発明の別の好ましい態様による通信装置を示す図である。通信装置２５０は、図１に示されるサービスネットワーク中の進化型ノードＢ(ｅＮＢ)である。通信装置２５０は、少なくともひとつのベースバンドモジュール２６０、トランシーバモジュール２７０およびコントローラーモジュール２８０を含む。トランシーバモジュール２７０は、無線または有線方式で信号を送受信する。注意すべきことは、本発明の態様によると、ｅＮＢは、制御または／およびデータ信号をひとつ以上のＵＥに伝送し、無線または有線接続により、別のｅＮＢと通信することである。たとえば、トランシーバモジュール２７０はＲＦモジュールを含むまたは直接ＲＦモジュールとなり、ＲＦモジュールの操作は図２ａのＲＦモジュール２２０に類似する。ある態様において、トランシーバモジュールは、バックホール接続（ｂａｃｋｈａｕｌ  ｃｏｎｎｅｃｔｉｏｎ）により別のｅＮＢと通信する。ベースバンドモジュール２６０およびコントローラーモジュール２８０の操作は、図２ａのベースバンドモジュール２１０およびコントローラーモジュール２３０に類似する。よって、ベースバンドモジュール２６０およびコントローラーモジュール２８０の詳細は、前述のベースバンドモジュール２１０およびコントローラーモジュール２３０を参照すればよいので、ここでは説明を省略する。注意すべきことは、本発明の態様によると、ｅＮＢは、サービングネットワーク中のひとつ以上のＵＥに供することに責任を負うので、コントローラーモジュール２８０は、さらに、制御信号とデータ伝送をスケジューリングし、制御信号およびデータを、サービングネットワーク中のＵＥに伝送することである。たとえば、コントローラーモジュール２８０はスケジューラーモジュール２９０を含み、制御信号およびデータ伝送をスケジューリングする。注意すべきことは、ある態様において、伝送スケジューリングは、直接、コントローラーモジュール２８０により実行されることである。よって、専用のスケジューラーモジュール２９０は、異なる設計要求に基づいた任意の選択であり、本発明は、図２ｂに示される構造に限定されない。注意すべきことは、コントローラーモジュール２３０/２８０は、異なる設計要求に基づいて、ベースバンドモジュール２１０/２６０に組み込まれ、本発明は、図２ａおよび図２ｂに示される構造に限定されないことである。
【００１７】
図３は、本発明の好ましい態様によるダウンリンク無線リソース割り当てを示す図である。ここで、ダウンリンクは、ｅＮＢからＵＥに伝送される信号のことを意味する。図３に示されるように、ダウンリンクサブフレーム３００は、制御領域３０１およびデータ領域３０２から構成される。データ領域３０２において、異なるＵＥのデータ信号は異なるサブバンド(即ち、異なるサブキャリアを用いることによる)中で伝送され、図中の各棒は周波数サブバンドを示す。しかし、制御領域中、異なるＵＥの制御信号は、ダウンリンクバンド全体上で伝送される。ダウンリンク制御信号が、図１に示される異機種ネットワークの隣接するｅＮＢにより同時に伝送される時、１個のｅＮＢにより伝送される重要なダウンリンク制御信号は、別のｅＮＢから干渉を受けるので、よって、セル間干渉が発生する。この問題を解決するため、無線通信システム中のセル間干渉を回避する異なるセル間のアップリンク／ダウンリンク伝送協調の幾つかの方法およびその方法を実施する通信装置が提供される。
【００１８】
図１に戻ると、前述のように、ＵＥ２０２がピコｅＮＢ１０２のセル端に移動する時、ＵＥ２０２に隣接するマクロｅＮＢ１０１により伝送される信号は、ＵＥ２０２に強い干渉を生成する。この場合、ピコｅＮＢ１０２により伝送されるダウンリンク信号は、マクロｅＮＢ１０１により伝送されるダウンリンク信号により干渉されるので、マクロｅＮＢ１０１はアグレッサーｅＮＢと見なされ、ＵＥ２０２はヴィクティムＵＥと見なされ、ピコｅＮＢ１０２はヴィクティムｅＮＢと見なされる。同様に、フェムトｅＮＢ１０３により伝送されるダウンリンク信号が、マクロｅＮＢ１０１により伝送されるダウンリンク信号に干渉するときの場合、フェムトｅＮＢ１０３はアグレッサーｅＮＢと称され、ＵＥ２０１はヴィクティムＵＥと称され、マクロｅＮＢ１０１はヴィクティムｅＮＢと称される。さらに、マクロｅＮＢ１０１により伝送されるダウンリンク信号が中継ｅＮＢ１０４により伝送されるダウンリンク信号に干渉するときの場合、マクロｅＮＢ１０１はアグレッサーｅＮＢと称され、ＵＥ２０３はヴィクティムＵＥと称され、中継ｅＮＢ１０４はヴィクティムｅＮＢと称される。
【００１９】
図４は、本発明の概念によるセル間干渉を回避するアグレッサーｅＮＢおよびヴィクティムｅＮＢ間のダウンリンクサブフレーム配置を示す図である。この態様において、アグレッサーｅＮＢは、ヴィクティムｅＮＢのひとつ以上のフレーム中のひとつ以上のサブフレームを空白にして、ヴィクティムｅＮＢは、制御信号および／またはデータ伝送をスケジューリングして、制御信号および／またはデータを、対応するサブフレーム中のヴィクティムＵＥに伝送する。一般に、一フレームは１０個のサブフレームを含み、１個のサブフレームの長さは１ｍｓで、１４個のＯＦＤＭ符号を有する。ヴィクティムＵＥは、アグレッサーｅＮＢから干渉を受けるＵＥである。アグレッサーｅＮＢにより空白にされるサブフレームはほぼ空白のサブフレーム(ＡＢＳ)と称される。ＡＢＳにおいて、アグレッサーｅＮＢはデータ伝送をスケジューリングせず、一般のサブフレームより少ない制御信号伝送だけをスケジューリングする。データ伝送はＡＢＳ中でスケジューリングされないので、ＡＢＳ中で伝送される制御信号は、一般のサブフレーム中で伝送されるべき制御信号より少ない。たとえば、ＡＢＳにおいて、物理制御フォーマット指示チャネル(ＰＣＦＩＣＨ) 制御信号および物理ダウンリンク制御チャネル(ＰＤＣＣＨ)制御信号は伝送されず、ＰＣＦＩＣＨ制御信号が用いられて、幾つのＯＦＤＭ符号が用いられるかを特定して、制御チャネルを伝送し、レシーバＵＥは、どこから制御情報を見つけるかを知り、ＰＤＣＣＨ制御信号が用いられて、(データ領域中で伝送される)データ信号のリソース割り当ておよび変調およびコード体系を特定する。ＡＢＳの制御領域中でまだ伝送されている制御信号は、たとえば、これに限定されないが、コモン制御信号(たとえば、コモン参照信号(ＣＲＳ)、同期信号、システム情報等)およびページング信号を含む。
【００２０】
図４に示されるように、第(ｐ＋１)サブフレームがアグレッサーｅＮＢにより配置されてＡＢＳとなる。よって、ヴィクティムｅＮＢは、第(ｐ＋１)サブフレームで、ヴィクティムＵＥの制御信号および／またはデータ伝送をスケジューリングする。ヴィクティムｅＮＢは、たとえば、これに限定されないが、ＵＥにより提供される測定報告に従って、どの接続されるＵＥがヴィクティムＵＥに関連する情報を得る。さらに具体的には、測定報告が、非サービングｅＮＢから受信される信号の電力が所定スレショルドを超過することを示す場合、ＵＥはヴィクティムＵＥと称される。以下の段落で、本発明の３つの態様が導入される。本発明の第一態様によると、ひとつ以上のＡＢＳの配列を記述するサブフレームパターンの協調方法とその通信装置が提供される。
【００２１】
本発明の好ましい態様によると、アグレッサーｅＮＢのコントローラーモジュール(たとえば、コントローラーモジュール２８０)は、まず、所定のサブフレームパターンを生成し、ひとつ以上のフレーム中のひとつ以上のＡＢＳの所定の配列を記述し、トランシーバモジュール(たとえば、トランシーバモジュール２７０)により、所定のサブフレームパターンに関連する情報を搭載する少なくともひとつの第一信号を、ヴィクティムｅＮＢに伝送することにより、少なくともひとつのヴィクティムｅＮＢに、所定のサブフレームパターンを通知する。注意すべきことは、この場合、通知されたヴィクティムｅＮＢは、アグレッサーｅＮＢに関連するピア通信装置と称されることである。アグレッサーｅＮＢのコントローラーモジュール(またはスケジューラーモジュール２９０)は、さらに、所定のサブフレームパターンに従って、制御信号および／またはデータ伝送をスケジューリングする。前述のように、アグレッサーｅＮＢは、ＡＢＳ中で、データ伝送をスケジューリングせず、ＡＢＳ中のスケジューリングは、通常のサブフレームの制御信号伝送より少ない。
【００２２】
ヴィクティムｅＮＢにとって、アグレッサーｅＮＢから第一信号受信後、ヴィクティムｅＮＢのコントローラーモジュール(たとえば、コントローラーモジュール２８０)は、さらに、提案されるサブフレームパターンを生成し、所定のサブフレームパターンに基づいて、ひとつ以上のＡＢＳの提案される配列を記述し、トランシーバモジュール(たとえば、トランシーバモジュール２７０)により、提案されるサブフレームパターンをアグレッサーｅＮＢに報告する。注意すべきことは、この場合、アグレッサーｅＮＢはヴィクティムｅＮＢに関するピア通信装置と称されることである。ヴィクティムｅＮＢのコントローラーモジュールは、トランシーバモジュールにより、提案されるサブフレームパターンに関連する情報を搭載する第二信号を、アグレッサーｅＮＢに伝送する。本発明の好ましい態様によると、提案されるサブフレームパターンは所定のサブフレームパターンのサブセットで、ヴィクティムｅＮＢのコントローラーモジュール(またはスケジューラーモジュール２９０)は、提案されるサブフレームパターンに従って、制御信号および／またはデータ伝送をスケジューリングする。所定のサブフレームパターンおよび提案されるサブフレームパターンは、複数のビットを含むビット列として示され、各ビットが用いられて、対応するサブフレームが、ほぼ空白のサブフレーム (ＡＢＳ)または通常のサブフレームか記述する。たとえば、所定のサブフレームパターンは{11000000}、‘1’は、対応するサブフレームがＡＢＳであることを示し、‘0’は、対応するサブフレームが通常のサブフレームであることを示す。ヴィクティムｅＮＢにより決定される提案されるサブフレームパターンは{10000000}で、これは、所定のサブフレームパターンのサブセットである。
【００２３】
本発明の別の好ましい態様によると、ヴィクティムｅＮＢは、第二信号中、提案された(または有用な)ＡＢＳの数量または提案された(または有用な)ＡＢＳの数量と所定のサブフレームパターンに手配された総ＡＢＳの数量の比率に関連する情報も搭載する。注意すべきことは、本発明の又さらに別の態様において、ヴィクティムｅＮＢは、所定のサブフレームパターンを受信せずに、予め、供されたＵＥ(たとえば、サービスネットワーク中のどのＵＥがヴィクティムで、どのサブフレームが用いられて、重要な制御信号をヴィクティムＵＥに伝送する)から収集される情報に従って、直接、提案されるサブフレームパターンを生成すると共に、提案されるサブフレームパターンをアグレッサーｅＮＢに伝送することである。このように、提案されたＡＢＳ中、アグレッサーｅＮＢ、必要である僅かな制御信号伝送だけをスケジューリングし、データ伝送しないように提案される。
【００２４】
注意すべきことは、本発明において、サブフレームパターンは、半静的に更新されることである。前述のように、所定のサブフレームパターンがヴィクティムｅＮＢに不適合の時、ヴィクティムｅＮＢは、提案された(または有用な)ＡＢＳの数量、提案された (または有用な)ＡＢＳの数量と所定のサブフレームパターン中で手配される総ＡＢＳの数量の比率および／または提案されるサブフレームパターン(以下で、報告された情報と称する)を、アグレッサーｅＮＢに報告する。たとえば、提案された(または有用な)ＡＢＳの数量とヴィクティムｅＮＢにより報告される所定のサブフレームパターン中に手配される総ＡＢＳ数の比率が１に接近する時、所定のサブフレームパターン中に手配された総ＡＢＳの数量は、ヴィクティムｅＮＢが、ヴィクティムＵＥに制御信号および／またはデータ伝送を手配するのに十分でないことを意味する。アグレッサーｅＮＢは、その隣接ｅＮＢから報告された情報を収集し、隣接ｅＮＢは、アグレッサーｅＮＢのセルのサービスエリア内のｅＮＢまたはその隣接セルｅＮＢで、収集された報告情報に基づいて、所定のサブフレームパターンを更新し、更新されたサブフレームパターンを得る。
【００２５】
アグレッサーｅＮＢは、さらに、更新されたサブフレームパターンに関連する情報を搭載する少なくともひとつの第三信号を、その隣接ｅＮＢに伝送する。注意すべきことは、この場合、ヴィクティムｅＮＢはアグレッサーｅＮＢに関するピア通信装置と称されることである。アグレッサーｅＮＢおよびヴィクティムｅＮＢはどちらも、更新されたサブフレームパターンに従って、制御信号および／またはデータ伝送をスケジューリングする。一態様によると、Ｘ２プロトコルに従って、所定で、提案および更新されたサブフレームパターンが伝送される。Ｘ２プロトコルは通信システムにより定義され、異なるｅＮＢ間の通信を構築する。別の態様によると、ＲＡＴにより定義されるプロトコルに基づいて、所定、提案および更新サブフレームパターンが空気界面により伝送される。空気界面は、ＵＥおよびｅＮＢまたは中継ｅＮＢおよびマクロｅＮＢ間で構築される無線伝送経路である。
【００２６】
図５は、本発明の第一態様による通信装置間の協調伝送の方法を示すフローチャートである。ｅＮＢ(アグレッサーまたはヴィクティムｅＮＢ)は、まず、サブフレームパターンを生成して、ひとつ以上のフレーム中のひとつ以上のほぼ空白のサブフレームの配列を記述し(工程５０２)、サブフレームパターンは、アグレッサーまたはヴィクティムｅＮＢにより生成される上述の所定、提案または更新サブフレームパターンである。次に、ｅＮＢは、少なくともひとつのピア通信装置(たとえば、ピアアグレッサーまたはヴィクティムｅＮＢ、サブフレームパターンが、ヴィクティムｅＮＢまたはアグレッサーｅＮＢにより生成されるかに基づく)に、サブフレームパターンを通知する(工程５０４)。前述のように、ｅＮＢは、サブフレームパターンに関する情報を搭載する信号を伝送することにより、ピア通信装置に通知する。注意すべきことは、本発明のある態様において、ｅＮＢ(アグレッサーまたはヴィクティムｅＮＢ)は、フレームおよび／またはサブフレームインデックスオフセットに関連する情報を搭載し、どのフレームおよび／またはサブフレームからサブフレームパターンの応用を開始すべきか指示することである。最後に、ｅＮＢは、サブフレームパターンに従って、制御信号および／またはデータ伝送をスケジューリングする(工程５０６)。たとえば、本発明のある態様において、ｅＮＢは、ＡＢＳで、僅かな制御信号伝送をスケジューリングし、データ伝送がない。
【００２７】
本発明の第二態様によると、ひとつ以上のＡＢＳのサブフレームインデックスを決定する方法とそれを用いた通信装置が提供される。本発明の好ましい態様によると、同期ハイブリッド自動再送要求(ＨＡＲＱ)伝送スキームが通信システムに採用されてエラー修正するので、ＡＢＳのサブフレームインデックスは、ＨＡＲＱプロセスの完全性を考慮して決定することが望ましい。一般に、通信装置は、周期的に、ＨＡＲＱメッセージを伝送／再伝送することができ、連続したＨＡＲＱメッセージは、往復時間 (ＲＴＴ)遅延を間隔とする。ＨＡＲＱメッセージは、アップリンク承諾メッセージおよび肯定応答(ＡＣＫ)/否定応答メッセージ (ＮＡＣＫ)(以下の段落で、詳細に説明する)を含む。ＨＡＲＱプロセスは、アップリンク承諾メッセージが伝送される時に開始され、ＡＣＫ／ＮＡＣＫメッセージが伝送される時に終了する。アップリンク承諾メッセージおよびＡＣＫ／ＮＡＣＫメッセージの伝送間の期間はＨＡＲＱ往復時間を定義する。
【００２８】
図６は、本発明の好ましい態様によるＨＡＲＱプロセスを示すメッセージフローである。アップリンク承諾メッセージ伝送およびアップリンクデータ伝送間のサブフレームオフセットが通信システムによりｋ１と定義され、アップリンクデータ伝送および肯定応答(ＡＣＫ)または否定応答(ＮＡＣＫ)メッセージ伝送間のサブフレームオフセットが通信システムによりｋ２と定義されると仮定すると、ＨＡＲＱ ＲＴＴは(ｋ１+ｋ２)である。よって、図６に示されるように、ｅＮＢは、第ｎサブフレームで、アップリンク承諾メッセージ(ＵＬ_Ｇｒａｎｔ)をＵＥに伝送し、ｎは非負の整数である。ＵＬ承諾メッセージ受信後、ＵＥは、第(ｎ+ｋ１)サブフレームで、アップリンクデータ(ＵＬ_Ｄａｔａ)をｅＮＢに伝送する。ｅＮＢは、さらに、第(ｎ+ｋ１+ｋ２)サブフレームで、ＡＣＫ／ＮＡＣＫメッセージ(ＡＣＫ／ＮＡＣＫ)を伝送し、ＵＥに、アップリンクデータが受信されたかを通知する。アップリンクデータが受信されない時(即ち、ＮＡＣＫメッセージはｅＮＢにより伝送される)または伝送されるべき幾つかのアップリンクデータがまだある時、ＵＥは、さらに、第(ｎ+２ｋ１+ｋ２)サブフレームで、アップリンクデータをｅＮＢに再伝送または伝送する。ｅＮＢは、さらに、第(ｎ+２ｋ１+２ｋ２)サブフレームで、ＡＣＫ／ＮＡＣＫメッセージを伝送して、ＵＥに、アップリンクデータが受信されたかを通知する。
【００２９】
本発明の好ましい態様によると、アップリンク承諾メッセージおよびＡＣＫ／ＮＡＣＫメッセージは、制御領域(たとえば、図３に示される制御領域３０１)中で伝送される重要な制御信号なので、ｅＮＢ(アグレッサーまたはヴィクティムｅＮＢ)のコントローラーモジュール(たとえば、コントローラーモジュール２８０)は、ＨＡＲＱプロセスで、ＨＡＲＱ ＲＴＴに従って、ひとつ以上のフレーム中にひとつ以上のＡＢＳを手配し、前述のように、サブフレームパターンを生成して、ＡＢＳの配列を記述する。たとえば、アップリンク承諾メッセージおよびＡＣＫ／ＮＡＣＫメッセージの伝送期間に従って、サブフレームパターン中のＡＢＳが配列される。
【００３０】
さらに詳細には、ＨＡＲＱ ＲＴＴが(ｋ１+ｋ２)サブフレームにより定義される時、コントローラーモジュール(たとえば、コントローラーモジュール２８０)は、以下の規則により、ほぼ空白のサブフレームを手配する。
ｎとｍが非負の整数、第ｎがほぼ空白のサブフレームの場合、第[ｎ+ｍ*(ｋ１+ｋ２)]サブフレームもほぼ空白のサブフレームである。
注意すべきことは、本発明の概念に基づいて、サブフレームパターン中の少なくともひとつのＡＢＳが、ヴィクティムｅＮＢにより用いられるサブフレーム中に手配されて、アップリンク承諾メッセージを伝送し、アップリンク承諾メッセージは、ヴィクティムＵＥを承諾し、アップリンクデータを伝送および／またはサブフレームパターン中の少なくともひとつのＡＢＳが、ヴィクティムｅＮＢにより用いられるサブフレーム中に手配されて、ＡＣＫ／ＮＡＣＫメッセージを伝送し、ＡＣＫ／ＮＡＣＫメッセージは、ヴィクティムＵＥに、受信されたアップリンク承諾メッセージが、ヴィクティムｅＮＢにより受信されたことに応答して、ヴィクティムＵＥにより伝送されるアップリンクデータが受信されたかを通知することである。よって、ヴィクティムｅＮＢおよびヴィクティムＵＥは、ＨＡＲＱプロセスの完成を成功させ、アグレッサーｅＮＢにより干渉されないことである。
【００３１】
たとえば、周波数分割双方向(ＦＤＤ)モード下(つまり、ＦＤＤ方式で、アップリンクおよびダウンリンクデータが異なる周波数バンドに伝送される)で、ＬＴＥシステムは、ｋ１=４およびｋ２=４を定義すると仮定すると、好ましい態様において、第nサブフレームがほぼ空白のサブフレームとして指定される時、アグレッサーｅＮＢは、第(ｎ+ｍ*８)サブフレームを空白にして、セル間干渉を回避する。
【００３２】
図７は、本発明の好ましい態様によるアグレッサーｅＮＢによりスケジューリングされる幾つかのＡＢＳおよびヴィクティムｅＮＢによりスケジューリングされる対応するＨＡＲＱメッセージの例の配置である。図７に示されるように、アグレッサーｅＮＢは、第Ｘフレーム中の第1と第９サブフレームおよび第（ｘ+１）フレーム中の第７サブフレームを空白にし、ほぼ空白のサブフレームとする。よって、ＡＢＳ間のサブフレームインデックスオフセットは８の倍数(つまり、(ｋ１+ｋ２)の倍数)である。ヴィクティムｅＮＢは、第Ｘフレーム内の第一サブフレームで、アップリンク承諾メッセージＵＬ_Ｇｒａｎｔを伝送し、第Ｘフレームの第５サブフレームで、ＵＥからアップリンクデータＵＬ_Ｄａｔａを受信する。ヴィクティムｅＮＢは、さらに、第Ｘフレーム中の第９サブフレーム中で、肯定応答メッセージＡＣＫ／ＮＡＣＫを伝送し、第（ｘ+１）フレーム中の第三サブフレームで、ＵＥからアップリンクデータＵＬ_Ｄａｔａを受信し、第（ｘ+１）フレーム中の第７サブフレームで、肯定応答メッセージＡＣＫ／ＮＡＣＫを伝送する。アップリンク承諾メッセージＵＬ_Ｇｒａｎｔおよび肯定応答メッセージＡＣＫ／ＮＡＣＫは、アグレッサーｅＮＢにより手配されるＡＢＳ間隔で伝送されるので、アップリンク承諾メッセージおよび肯定応答メッセージは、干渉されずに伝送される。
【００３３】
本発明の別の好ましい態様によると、時分割二重(ＴＤＤ)モード下で操作する間(つまり、同じ周波数バンド中、アップリンクおよびダウンリンクデータが、ＴＤＤ方式で伝送される)、第ｎサブフレームがほぼ空白のサブフレームとして指定される時、コントローラーモジュールは、第[ｎ+ｍ*(ｋ１+ｋ２)]サブフレーム中、ほぼ空白のサブフレームを手配する。図８は、本発明の好ましい態様による通信システム中のＴＤＤアップリンク／ダウンリンク(ＵＬ／ＤＬ)配置を示す表である。表に示されるように、文字‘D’は、対応するサブフレームがダウンリンクサブフレームであることを示し、文字‘U’は、対応するサブフレームがアップリンクサブフレームであることを示し、文字‘S’は、対応するサブフレームが特殊なサブフレームであることを示す。注意すべきことは、特殊なサブフレームの前段がダウンリンク伝送に用いられ、特殊なサブフレームの後段がアップリンク伝送に用いられ、サイレンス領域が、ダウンリンクとアップリンク伝送間の特殊なサブフレームの中間に手配されることである。図８に示されるように、通信システムにより定義される７種の配置を有し、それぞれ、アップリンクサブフレーム数とダウンリンクフレーム数の比率は異なる。
【００３４】
異なるＵＬ／ＤＬ配置にとって、ＨＡＲＱパラメータｋ１およびｋ２は異なる。図９ａは、本発明の好ましい態様によるＴＤＤ ＵＬ／ＤＬ配置１−６中のＨＡＲＱパラメータｋ１の値を示す図で、図９ｂは、本発明の好ましい態様によるＴＤＤ ＵＬ／ＤＬ配置１−６中のＨＡＲＱパラメータｋ２の値を示す図である。注意すべきことは、図９ａの表中で示される数値は、異なるサブフレームインデックスに対して設定される対応するパラメータｋ１の値で、図９ｂ中の表に示される数値は、異なるサブフレームインデックスに対して設定される対応するパラメータｋ２の値であることである。
【００３５】
図９ａの表に示されるＴＤＤ ＵＬ／ＤＬ配置１を例とすると、アップリンク承諾メッセージが、第一サブフレーム中で、ｅＮＢにより伝送される時、ＨＡＲＱパラメータｋ１=６で、これは、第一サブフレーム中で、アップリンク承諾メッセージを受信するＵＥが、６個のサブフレーム後、アップリンクデータを伝送することが出来ることを意味する(つまり、１+６=７なので、アップリンクデータが第７サブフレーム中で伝送される)。図９ｂを参照すると、アップリンクデータが第７サブフレームで伝送される時、ＨＡＲＱパラメータｋ２=４、それは、第７サブフレームで、アップリンクデータを受信することが提案されるｅＮＢは、４個のサブフレームの後、ＡＣＫ／ＮＣＡＫメッセージの伝送に責任を追うことを意味する(つまり、[(７+４) mod１０]=１なので、ＡＣＫ／ＮＣＡＫメッセージが、次のフレームの第一サブフレーム中で伝送される)。
【００３６】
同様に、図９ａの表に示されるＴＤＤ ＵＬ／ＤＬ配置４を例とすると、アップリンク承諾メッセージが第８サブフレーム中で、ｅＮＢにより伝送される時、ＨＡＲＱパラメータｋ１=４、それは、第８サブフレーム中で、アップリンク承諾メッセージを受信するＵＥは、４個のサブフレームの後、アップリンクデータを伝送することができることを意味する(つまり、[(８+４) mod１０]=２なので、アップリンクデータが次のフレームの第二サブフレームで伝送される)。図９ｂを参照すると、アップリンクデータが第二サブフレームで伝送される時、ＨＡＲＱパラメータｋ２=６、これは、第二サブフレーム中で、アップリンクデータを受信することが提案されるｅＮＢは、６個のサブフレーム後、ＡＣＫ／ＮＣＡＫメッセージの伝送に責任を追うことを意味する(つまり、２+６=８なので、ＡＣＫ／ＮＣＡＫメッセージが第８サブフレームで伝送される)。
【００３７】
よって、ＴＤＤモード下で、第ｎサブフレームがほぼ空白のサブフレームとして指定される時、コントローラーモジュールは、図９ａおよび図９ｂの表に従って、第[ｎ+ｍ*(ｋ１+ｋ２)]サブフレーム中で、ほぼ空白のサブフレームを手配する。注意すべきことは、ＴＤＤ ＵＬ／ＤＬ配置１−５にとって、常に、１フレームでＨＡＲＱプロセスを完成させる(つまり、(ｋ１+ｋ２)=１０サブフレーム=１フレーム)ことである。つまり、ＴＤＤ ＵＬ／ＤＬ配置１−５にとって、ＵＬ承諾メッセージ伝送およびＡＣＫ／ＮＡＣＫメッセージ伝送間のオフセットは一フレームである。よって、コントローラーモジュールは、各フレーム中の固定位置で、ＡＢＳを手配して、手配されたＡＢＳのサブフレームインデックス値は、異なるフレームで一定値である。
【００３８】
図１０は、本発明の別の好ましい態様によるヴィクティムｅＮＢによりスケジューリングされるアグレッサーｅＮＢによりスケジューリングされる幾つかのＡＢＳおよび対応するＨＡＲＱメッセージの配置を示す図である。この態様において、ＴＤＤ ＵＬ／ＤＬ配置１を例とし、ＡＢＳは、各フレーム中の第４サブフレーム中、アグレッサーｅＮＢにより手配される。よって、ヴィクティムｅＮＢは、第Ｘサブフレーム中の第４サブフレーム中で、アップリンク承諾メッセージＵＬ_Ｇｒａｎｔを伝送し、第（ｘ+１）フレーム中の第４サブフレーム中で、肯定応答メッセージＡＣＫ／ＮＡＣＫを伝送し、アグレッサーｅＮＢにより干渉されるのを回避する。
【００３９】
図９ａおよび図９ｂに戻ると、注意すべきことは、ＴＤＤ ＵＬ／ＤＬ配置６にとって、ＨＡＲＴ ＲＴＴは、ＴＤＤ ＵＬ／ＤＬ配置１−５のように規則的ではないことである。このほか、ＴＤＤ ＵＬ／ＤＬ配置０(以下の段落で詳細に説明する)にとって、ＨＡＲＴ ＲＴＴも不規則である。ＨＡＲＴ ＲＴＴは、ＴＤＤ ＵＬ／ＤＬ配置０と６に対し不規則なので、本発明の好ましい態様によると、サブフレームパターン中のＡＢＳは、一連の連続フレームで手配されることが望ましい。図１１は、本発明のさらに別の好ましい態様によるアグレッサーｅＮＢによりスケジューリングされる幾つかのＡＢＳの配置を示す図である。この態様において、ＴＤＤ ＵＬ／ＤＬ配置６を例とすると、ＡＢＳは、フレーム０の第０サブフレーム、フレーム１の第一サブフレーム、フレーム２の第５サブフレーム、フレーム３の第６サブフレーム、フレーム４の第９サブフレームおよびフレーム６の第０サブフレームで、アグレッサーｅＮＢにより手配される。よって、ヴィクティムｅＮＢは、ＡＢＳで、アップリンク承諾メッセージＵＬ_ＧｒａｎｔおよびＡＣＫ／ＮＡＣＫを伝送して、アグレッサーｅＮＢにより干渉されることを回避する。
【００４０】
ＴＤＤ ＵＬ／ＤＬ配置０にとって、アップリンクサブフレームの数量はダウンリンクサブフレームより多いので、２個のインジケータを用いてどのアップリンクサブフレームが、アップリンクメッセージまたはＡＣＫ／ＮＡＣＫメッセージに関連するかを示す。第一インジケータはＵＬインデックスUL＿indexで、２ビットのインジケータであり、どのアップリンクサブフレームが現在のアップリンクメッセージに関連するかを示す。第二インジケータはIＰＨＩＣＨであり、どのサブフレームが現在の物理ハイブリッド自動再送要求指示チャネル(ＰＨＩＣＨ)に関連するかを示すのに用いられる。ＡＣＫ／ＮＡＣＫメッセージはＰＨＩＣＨにより伝送される。
【００４１】
図１２ａは、本発明の好ましい態様によるＴＤＤ ＵＬ／ＤＬ配置０のＨＡＲＱパラメータｋ１の値の第一配置、および、図１２ｂは、本発明の別の好ましい態様によるＴＤＤ ＵＬ／ＤＬ配置０のＨＡＲＱパラメータｋ１の値の第二配置を示す図である。図１３ａは、本発明の具体例によるＴＤＤ ＵＬ／ＤＬ配置０のＨＡＲＱパラメータｋ２の値の第一配置、および、図１３ｂは、本発明の別の好ましい態様によるＴＤＤ ＵＬ／ＤＬ配置０のＨＡＲＱパラメータｋ２の値の第二配置を示す図である。
以下の二個の条件の時:
第一インジケータUL＿indexの最上位ビット(MSB)は‘1’;
サブフレーム０または５で、ＡＣＫ／ＮＡＣＫメッセージが受信される、IＰＨＩＣＨ=’0’;
一者が成立する時に、ＴＤＤ ＵＬ／ＤＬ配置０のＨＡＲＱパラメータｋ１の値は、図１２ａの表のように設定される。
以下の３個の条件時:
第一インジケータUL＿indexの最下位ビット(LSB)は‘1’;
サブフレーム０または５で、ＡＣＫ／ＮＡＣＫメッセージが受信され、IＰＨＩＣＨ=’1’;
サブフレーム１または６で、ＡＣＫ／ＮＡＣＫメッセージが受信される；
一者が成立する時に、ＴＤＤ ＵＬ／ＤＬ配置０のＨＡＲＱパラメータｋ１の値が、図１２ｂの表のように設定される。このほか、IＰＨＩＣＨ=’0’の時、ＴＤＤ ＵＬ／ＤＬ配置０のＨＡＲＱパラメータｋ２の値は、図１３ａの表のように設定され、且つ、IＰＨＩＣＨ=’1’の時、ＴＤＤ ＵＬ／ＤＬ配置０のＨＡＲＱパラメータｋ２の値は、図１３ｂのように設定される。
【００４２】
総合すると、異なるＴＤＤ ＵＬ／ＤＬ配置のＡＢＳとして設定されるサブフレームのインデックス値は表１に表示される。
【００４３】
【表１】
2013534094.tif 000003
【００４４】
本発明の好ましい態様によると、ＡＢＳは、表１にリストされるサブフレームから選択される。注意すべきことは、ＴＤＤ ＵＬ／ＤＬ配置０および６にとって、一組のＡＢＳがフレームＦから指定されると仮定すると、[i,j]は第iフレームの第jサブフレームを示し、‘NAN’というのは、対応フレーム中にＡＢＳが手配されていないことを意味する。同様に注意すべきことは、各ＡＣＫ／ＮＡＣＫメッセージがヴィクティムＵＥによりデコードされるのを確保するため、ＴＤＤ ＵＬ／ＤＬ配置０に対し、第一インジケータUL＿indexのＭＳＢが‘1’の時、アップリンク承諾メッセージの伝送は、好ましくは、フレームＦとＦ+３でスケジューリングされ、且つ、第一インジケータUL＿indexのＬＳＢが‘1’の時、アップリンク承諾メッセージの伝送は、好ましくは、フレームＦ+１およびＦ+４でスケジューリングされることである。
【００４５】
本発明の好ましい態様によると、ＦＤＤおよびＴＤＤモードのサブフレームパターン期間は異なってもよい。サブフレームパターン期間は、ＡＢＳ配列を記述するサブフレームパターンが応用できる期間である。ＦＤＤにとって、ＡＢＳは、好ましくは、第(ｎ+ｍ*８)サブフレームで手配されるので、サブフレームパターンは、４０ビットを含むビット列で、４連続フレーム中で、ＡＢＳ配列を記述し、サブフレームパターン期間は４０ｍｓとして設定され、８と１０の最小公倍数(LCM)で、８は、ＦＤＤモード下のＨＡＲＱパラメータｋ１およびｋ２の合計で、１０は、フレームの長さである。ＴＤＤ ＵＬ／ＤＬ配置１−５にとって、ＨＡＲＱパラメータｋ１およびｋ２の合計が１０個のサブフレームで、システム情報ブロック1(ＳＩＢ１)は二フレーム毎に伝送されるので、サブフレームパターンは２０ビットを含むビット列で、２連続フレームで、ＡＢＳ配列を記述し、サブフレームパターン期間は２０ｍｓとして設定される。ＴＤＤ ＵＬ／ＤＬ配置０にとって、ＡＢＳは、好ましくは、７連続フレームで手配されるので(表１に示される)、サブフレームパターンは７０ビットを含むビット列で、７連続フレームで、ＡＢＳ配列を記述し、サブフレームパターン期間は７０ｍｓとして設定される。ＴＤＤ ＵＬ／ＤＬ配置６にとって、ＡＢＳは、好ましくは、６連続フレームで手配されるので(表１および図１１に示される)、サブフレームパターンは６０ビットを含むビット列で、６連続フレーム中で、ＡＢＳ配列を記述し、サブフレームパターン期間は６０ｍｓとして設定される。
【００４６】
図１４は、本発明の第二態様による通信装置間の協調伝送の方法を示すフローチャートである。ｅＮＢ(たとえば、アグレッサーｅＮＢ)は、まず、通信システムにより定義されるＨＡＲＱプロセスで、ＨＡＲＱ ＲＴＴに関連する情報を得て(工程１４０２)、その後、ＨＡＲＱ ＲＴＴに従って、ひとつ以上のフレーム中で、ひとつ以上のほぼ空白のサブフレームを手配する(工程１４０４)。注意すべきことは、同様の概念に基づいて、ｅＮＢ(たとえば、ヴィクティムｅＮＢ)は、ＨＡＲＱ ＲＴＴ(たとえば、図７、図１０および図１１の例)に従って、ヴィクティムＵＥの重要な制御信号(たとえば、アップリンク承諾メッセージおよびＡＣＫ／ＮＡＣＫメッセージ)伝送もスケジューリングすることである。
【００４７】
本発明の第三態様によると、ＡＢＳの交差サブフレームスケジューリング方法およびそれを用いた通信装置が提供される。図１５は、本発明の第三態様によるＡＢＳの交差サブフレーム配置の概念を記述するダウンリンクサブフレーム配置を示す図である。ＡＢＳを手配する目的は、アグレッサーｅＮＢから伝送される制御信号がヴィクティムｅＮＢにより干渉するのを回避することなので、本発明の第三態様によると、ＡＢＳのデータ領域が依然としてデータ伝送に用いられて、ダウンリンクスループットを増加する。図１５に示されるように、サブフレームｐは通常のサブフレーム、サブフレーム(ｐ＋１)は、伝送されるデータを有するＡＢＳである。しかし、ＰＣＦＩＣＨおよびＰＤＣＣＨ制御信号は、サブフレーム(ｐ＋１)の制御領域中で伝送されないので、データ領域の開始位置、サブフレーム(ｐ＋１)のデータ信号のリソース割り当ておよび変調とコード体系に関連する情報は、サブフレーム(ｐ＋１)の制御領域から得ることができない。このように、ＡＢＳのデータ領域がアグレッサーｅＮＢにより用いられて、データを伝送する時、アグレッサーｅＮＢからダウンリンク信号を受信するＵＥは、ＡＢＳ (ｐ＋１)の制御情報を獲得しない。
【００４８】
この問題を解決するため、サブフレームインジケータが、ＰＤＣＣＨ制御信号に加えられて、現在のサブフレームまたは現在のサブフレームの後のひとつ以上のサブフレームのリソース割り当てを記述するのに用いられるかを示す。たとえば、サブフレームインジケータは一ビットのインジケータで、現在のサブフレーム中に搭載されるＰＤＣＣＨ制御信号が、現在のサブフレームまたは現在のサブフレームの後のサブフレームの制御信号かを示す。アグレッサーｅＮＢからダウンリンク信号を受信するＵＥのコントローラーモジュール(たとえば、コントローラーモジュール２３０)は、サブフレームインジケータのデコード後、現在のサブフレームに搭載されるＰＤＣＣＨ制御信号が、現在のサブフレームまたは現在のサブフレームの後のサブフレームの制御信号かどうかを知る。
【００４９】
サブフレームインジケータをＰＤＣＣＨ制御信号に加える以外に、アグレッサーｅＮＢは、さらに、異なる方法で、ＵＥに、ＡＢＳ(たとえば、図１５中のサブフレーム(ｐ＋１))のデータ領域の開始位置と通知する。一般のフレーム(たとえば、図１５中のサブフレームｐ)にとって、ｅＮＢは、ＰＣＦＩＣＨ制御信号中で、サブフレームｐのデータ領域の開始位置に関連する情報を搭載し、サブフレームｐの制御領域中で、ＰＣＦＩＣＨ制御信号を伝送する。よって、ＵＥは、ＰＣＦＩＣＨ制御信号から、サブフレームｐのデータ領域の開始位置に関連する情報を得る。
【００５０】
しかし、ＡＢＳ(たとえば、図１５に示されるサブフレーム(ｐ＋１))にとって、ＰＣＦＩＣＨ制御信号はＡＢＳの制御領域中で伝送されないので、ｅＮＢはその中に情報を搭載しない。よって、本発明の第一態様によると、ｅＮＢは、通信システムにより定義される最大制御領域サイズに従って、ＡＢＳのデータ領域の開始位置を設定する。最大制御領域サイズは、たとえば、これに限定されないが、３または４個のＯＦＤＭ符号で、ＯＦＤＭキャリアのバンド幅に基づく。このように、各ＡＢＳのデータ領域の開始位置は固定で、よって、ｅＮＢは、ＵＥに、開始位置がどこか通知する必要がない。図１６は、本発明の第一例によるＡＢＳの交差サブフレームスケジューリングの方法を示すフローチャートである。前述のように、第一サブフレームの後、ＡＢＳの第二サブフレームのデータ領域がｅＮＢにより用いられて、データを伝送する時、ｅＮＢは、まず、第一サブフレームの制御領域中で伝送される第一制御信号中で、サブフレームインジケータを搭載して、ＵＥに、第一サブフレーム後の第二サブフレームが、ほぼ空白のサブフレームであることを示す(工程１６０２)。次に、ｅＮＢは、通信システムにより定義される最大制御領域サイズに従って、第二サブフレームのデータ領域の開始位置を設定する(工程１６０４)。最後に、ｅＮＢは、第二サブフレームの開始位置から、データ領域中のデータを搭載する(工程１６０６)。
【００５１】
本発明の第二態様によると、制御領域中で情報を搭載する代わりに、ｅＮＢは、従来の方式(即ち、実際のデータサイズに基づく) で、ＡＢＳのデータ領域の開始位置を設定し、ｅＮＢは、さらに、無線リソース制御(ＲＲＣ)シグナリングにより、ＵＥに、開始位置に関連する情報を通知する。図１７は、本発明の第二例によるＡＢＳの交差サブフレームスケジューリングの方法を示すフローチャートである。前述のように、第一サブフレームの後で、ＡＢＳの第二サブフレームのデータ領域がｅＮＢにより用いられて、データを伝送する時、ｅＮＢは、まず、第一サブフレームの制御領域中で伝送される第一制御信号で、サブフレームインジケータを搭載して、ＵＥに、第一サブフレームの後の第二サブフレームがほぼ空白のサブフレームであることを示す(工程１７０２)。次に、ｅＮＢは、ＲＲＣシグナリングにより、第二サブフレームのデータ領域の開始位置を設定して、開始位置に関連する情報のユーザー装置を通知する(工程１７０４)。最後に、ｅＮＢは、第二サブフレームの開始位置から、データ領域中のデータを搭載する(工程１７０６)。
【００５２】
ｅＮＢから、複数のサブフレームを含むダウンリンクデータを受信するＵＥにとって、ＵＥは、対応する方式で、ＡＢＳのデータ領域の開始位置、データ信号のリソース割り当ておよび変調とコード体系に関連する情報を得る。図１８は、本発明の第三例によるＡＢＳの交差サブフレームスケジューリング方法を示すフローチャートである。ＵＥは、まず、ｅＮＢから受信される第一サブフレームの制御領域中で伝送される第一制御信号中で搭載されるサブフレームインジケータを得ると共に(工程１８０２)、第一サブフレームの後の第二サブフレームが、ほぼ空白のサブフレームか決定する(工程１８０４)。サブフレームインジケータが、第二サブフレームがＡＢＳでないことを示す時、ＵＥは、第二サブフレームの制御領域中で伝送される第二制御信号から、第二サブフレームのデータ領域の開始位置に関連する情報を得る(工程１８０６)。一方、ＵＥは、第二サブフレームの制御領域中で伝送されない所定の情報に従って、第二サブフレームのデータ領域の開始位置に関連する情報を得る(工程１８０８)。前述のように、所定の情報は通信システムにより定義される最大制御領域サイズとして固定され、ｅＮＢは、更にＵＥにこれを通知する必要がない。別の態様において、開始位置が一定でなく、ｅＮＢにより動的に変化する時、ｅＮＢは、ＲＲＣシグナリングにより、ＵＥに、開始位置がどこか通知し、ＵＥは所定の情報を得る。
【００５３】
図１９は、本発明の好ましい態様によるＡＢＳパターンを指定する通信システムの方法を示すフローチャートである。この態様において、まず、ひとつ以上の隣接ｅＮＢの情報が収集される(工程１９０２)。情報は、これに限定されないが、隣接ｅＮＢの信号電力、ｅＮＢにより供されるひとつ以上のＵＥの受信信号電力、ｅＮＢにより供されるＵＲにより測定される干渉等を含む。次に、通信システムにより干渉されるひとつ以上のＵＥに供する少なくともひとつのヴィクティムｅＮＢは、収集された隣接ｅＮＢの情報に基づいて識別される(工程１９０４)。最後に、ＡＢＳパターンがヴィクティムｅＮＢに指定されるので、ヴィクティムｅＮＢのセル内の干渉が減少する(工程１９０６)。好ましい態様によると、ＡＢＳパターンは、通信システムの所定の配置またはヴィクティムｅＮＢの所定の配置に従って指定される。所定の配置は、前述のＦＤＤ配置またはＴＤＤ ＵＬ／ＤＬ配置０−６である。たとえば、ＡＢＳパターンは、アグレッサーｅＮＢまたはヴィクティムｅＮＢの所定の配置に従って指定される。このほか、ＡＢＳパターンは、８個のサブフレーム(たとえば、ＦＤＤ配置に対する)、１０個のサブフレーム(たとえば、ＴＤＤ ＵＬ／ＤＬ配置１−５に対する)、６０個のサブフレーム(たとえば、ＴＤＤ ＵＬ／ＤＬ配置６に対する)または７０個のサブフレーム(たとえば、ＴＤＤ ＵＬ／ＤＬ配置０に対する)の一周期で、指定を実行する。注意すべきことは、隣接ｅＮＢの情報は、さらに、更新されて、更新された情報に従って、周期的または非周期的に、指定されたＡＢＳパターンを調整することである。よって、ＡＢＳを指定することにより、ヴィクティムｅＮＢのセル内の干渉が減少することである。
【００５４】
請求項中の要素を修飾する“第一”、“第二”、“第三”等の序数詞の使用は、いかなる優先、順位または各要素間の順序または方法が実行する工程順序も暗示しないが、標識となって、同じ名称を有する(異なる序数詞を有する)異なる要素を区分する。
【００５５】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００５６】
１００〜サービスエリア
１０１〜マクロｅＮＢ
１０２〜ピコｅＮＢ
１０３〜フェムトｅＮＢ
１０４〜中継ｅＮＢ
２０１、２０２、２０３〜ＵＥ
２００〜通信装置
２１０〜ベースバンドモジュール
２２０〜ＲＦモジュール
２３０〜コントローラーモジュール
２５０〜通信装置
２６０〜ベースバンドモジュール
２７０〜トランシーバモジュール
２８０〜コントローラーモジュール
２９０〜スケジューラーモジュール
３００〜ダウンリンクサブフレーム
３０１〜制御領
３０２〜データ領域
ＡＣＫ〜肯定応答メッセージ
ＮＡＣＫ〜否定応答メッセージ
ｅＮＢ〜進化型ノード
【図１】
2013534094.tif 000004
【図２ａ】
2013534094.tif 000005
【図２ｂ】
2013534094.tif 000006
【図３】
2013534094.tif 000007
【図４】
2013534094.tif 000008
【図５】
2013534094.tif 000009
【図６】
2013534094.tif 000010
【図７】
2013534094.tif 000011
【図８】
2013534094.tif 000012
【図９ａ】
2013534094.tif 000013
【図９ｂ】
2013534094.tif 000014
【図１０】
2013534094.tif 000015
【図１１】
2013534094.tif 000016
【図１２ａ】
2013534094.tif 000017
【図１２ｂ】
2013534094.tif 000018
【図１３ａ】
2013534094.tif 000019
【図１３ｂ】
2013534094.tif 000020
【図１４】
2013534094.tif 000021
【図１５】
2013534094.tif 000022
【図１６】
2013534094.tif 000023
【図１７】
2013534094.tif 000024
【図１８】
2013534094.tif 000025
【図１９】
2013534094.tif 000026
【国際調査報告】
2013534094.tif 000027
2013534094.tif 000028
2013534094.tif 000029